(57)【要約】【課題】優れた省エネルギーを実現しつつ、施設内に設けられた建物の空気を調湿可能な空気調湿システムを提供する。【解決手段】本発明の空気調湿システムは、調湿機１と、太陽熱温水器３と、焼成炉５と、第１熱交換ユニット７とを備えている。調湿機１は、ハウジング１１と、第１、２流体管１２、１３と、フィン群１４とを有している。ハウジング１１には、内部に調湿室１１０が形成されている。また、ハウジング１１には、第１流入口１１ａ及び第１流出口１１ｂが形成されている。フィン群１４は、第１、２流体管１２、１３に設けられている。フィン群１４の表面には乾燥剤を含む除湿層１４ｂが形成されている。太陽熱温水器３は、太陽光による発熱で水を温水とする。焼成炉５は、排熱による高熱によって水を温水とする。第１熱交換ユニット７は、地下水ＧＷによって調湿前空気を低温空気とする。【選択図】図１
2017207217.tif 000002
【特許請求の範囲】
【請求項１】
施設内に設けられた建物の空気を調湿する空気調湿システムであって、
吸湿温度領域及び脱水温度領域が存在する可逆的水分吸着特性を有する乾燥剤が設けられた調湿機と、
前記建物内及び前記建物外の少なくとも一方から前記調湿機に調湿前空気を供給する供給装置と、
前記調湿機を経た調湿後空気を吐出する吐出装置と、
前記乾燥剤を前記脱水温度領域に属する温度にする再生手段とを備え、
前記調湿機は、内部に調湿室が形成され、前記調湿室に前記調湿前空気が流入する流入口と、前記調湿室から前記調湿後空気が流出する流出口とが形成されたハウジングと、
前記調湿室内に設けられ、制御流体を流通可能な流体管と、
前記流体管に設けられ、前記乾燥剤を含む除湿層が表面に形成されたフィン群とを有し、
前記乾燥剤を前記吸湿温度領域に属する温度にする作動手段を備え、
前記再生手段及び前記作動手段の少なくとも一方は、前記施設内で生じた排熱による高熱又は低熱によって前記制御流体を温度調整することを特徴とする空気調湿システム。
【請求項２】
前記再生手段は、太陽光による発熱で前記制御流体を高温制御流体とする太陽熱流体高温化手段と、前記排熱による高熱によって前記制御流体を前記高温制御流体とする第１流体高温化手段とを有し、
前記供給装置は、前記施設の地中を流通する地下水によって前記調湿前空気を低温空気とする空気低温化手段を有している請求項１記載の空気調湿システム。
【請求項３】
前記再生手段は、太陽光による発熱で前記制御流体を高温制御流体とする太陽熱流体高温化手段と、前記排熱による高熱によって前記制御流体を前記高温制御流体とする第１流体高温化手段とを有し、
前記作動手段は、前記排熱による低熱及び前記施設の地中を流通する地下水の少なくとも一方によって前記制御流体を低温制御流体とする第１流体低温化手段を有する請求項１記載の空気調湿システム。
【請求項４】
前記第１流体高温化手段は、前記調湿前空気を高温空気とする請求項３記載の空気調湿システム。
【請求項５】
前記第１流体低温化手段は、前記調湿前空気を低温空気とする請求項３又は４記載の空気調湿システム。
【発明の詳細な説明】
【技術分野】
【０００１】
本発明は空気調湿システムに関する。
【背景技術】
【０００２】
施設内に設けられた建物の空気を調湿する空気調湿システムとして、例えば、特許文献１に開示されたものが知られている。この空気調湿システムは、調湿機と、供給装置と、吐出装置と、再生手段とを備えている。
【０００３】
調湿機には吸湿温度領域及び脱水温度領域が存在する可逆的水分吸着特性を有する乾燥剤が設けられている。乾燥剤としては、合成ゼオライトが採用されている。この調湿機は、ハウジングと、第１、２流体管と、フィン群とを有している。ハウジングの内部には調湿室が形成されている。また、ハウジングには、調湿室に調湿前空気が流入する流入口と、調湿室から調湿後空気が流出する流出口とが形成されている。第１、２流体管は、それぞれ調湿室内を蛇行するように設けられている。フィン群は第１、２流体管に設けられている。フィン群の表面には、乾燥剤を含む除湿層が形成されている。
【０００４】
供給装置は、建物内及び建物外と調湿機の流入口とを接続する供給用配管と、送風ファンとで構成されている。供給用配管は調湿前空気を流通可能である。吐出装置は、建物内及び建物外と調湿機の流出口とを接続する吐出用配管と、上記の送風ファンとで構成されている。吐出用配管内は調湿後空気を流通可能である。
【０００５】
再生手段は、太陽熱温水器と、ヒートポンプと、第１、２配管とで構成されている。太陽熱温水器は、太陽光による発熱で水を加熱して温水とすることが可能となっている。ヒートポンプは熱媒体を加熱可能となっている。第１配管は太陽熱温水器と第１流体管とを接続している。第２配管はヒートポンプと第２流体管とを接続している。これにより、第１配管内及び第１流体管内には水が流通可能となっており、第２配管内及び第２流体管内には熱媒体が流通可能となっている。
【０００６】
また、この空気調湿システムは、温度調整ユニットと、ラジエータとを備えている。温度調整ユニット及びラジエータは、調湿前空気の流通方向で調湿機よりも上流側でそれぞれ供給用配管と接続されている。温度調整ユニットは、地中に埋設されており、地中を流通する地下水と調湿前空気との熱交換によって、調湿前空気を冷却可能となっている。また、ラジエータは、建物外に放熱を行うことによって、温度調整ユニットで冷却された調湿前空気を更に冷却することが可能となっている。
【０００７】
この空気調湿システムでは、送風ファンを作動させることにより、建物内の空気又は建物外の空気が調湿前空気として供給用配管内を流通する。そして、この調湿前空気が調湿機の流入口から調湿室内に流入する。これにより、調湿前空気は、調湿室内の除湿層が含む乾燥剤によって吸湿され、調湿後空気として調湿機の流出口から吐出用配管に流出し、建物内に吐出される。こうして、この空気調湿システムでは、建物内を除湿することが可能となっている。
【０００８】
乾燥剤は、吸湿を続けることにより、次第に吸湿能力が低下する。そのため、この空気調湿システムでは、太陽熱温水器及びヒートポンプを作動させ、第１配管内を流通する水を加熱するとともに、第２配管内を流通する熱媒体を加熱する。これにより、第１流体管の内部を高温の温水が流通し、また、第２流体管の内部を高温の熱媒体が流通することから、乾燥剤が加熱される。このため、乾燥剤は、吸湿温度領域に属する温度になり、吸収した水分を放出する。こうして、乾燥剤は吸湿能力が再生される。なお、乾燥剤が放出した水分は、調湿室内の調湿前空気に吸収される。加湿された調湿後空気は建物外に放出される。
【０００９】
このように、この空気調湿システムでは、省エネルギーで建物の空気を連続的に除湿することが可能となっている。
【先行技術文献】
【特許文献】
【００１０】
【特許文献１】特許５３３７１１２号公報
【発明の概要】
【発明が解決しようとする課題】
【００１１】
しかし、上記従来の空気調湿システムでは、熱媒体を加熱する、すなわち、乾燥剤を吸湿温度領域に属する温度に加熱して吸湿能力を再生させるに当たり、ヒートポンプに別途に電力を供給する必要がある。このため、この空気調湿システムでは、更なる省エネルギー化が難しい。
【００１２】
本発明は、上記従来の実情に鑑みてなされたものであって、優れた省エネルギーを実現しつつ、施設内に設けられた建物の空気を連続的に調湿可能な空気調湿システムを提供することを解決すべき課題としている。
【課題を解決するための手段】
【００１３】
本発明の空気調湿システムは、施設内に設けられた建物の空気を調湿する空気調湿システムであって、
吸湿温度領域及び脱水温度領域が存在する可逆的水分吸着特性を有する乾燥剤が設けられた調湿機と、
前記建物内及び前記建物外の少なくとも一方から前記調湿機に調湿前空気を供給する供給装置と、
前記調湿機を経た調湿後空気を吐出する吐出装置と、
前記乾燥剤を前記脱水温度領域に属する温度にする再生手段とを備え、
前記調湿機は、内部に調湿室が形成され、前記調湿室に前記調湿前空気が流入する流入口と、前記調湿室から前記調湿後空気が流出する流出口とが形成されたハウジングと、
前記調湿室内に設けられ、制御流体を流通可能な流体管と、
前記流体管に設けられ、前記乾燥剤を含む除湿層が表面に形成されたフィン群とを有し、
前記乾燥剤を前記吸湿温度領域に属する温度にする作動手段を備え、
前記再生手段及び前記作動手段の少なくとも一方は、前記施設内で生じた排熱による高熱又は低熱によって前記制御流体を温度調整することを特徴とする。
【００１４】
本発明の空気調湿システムは、乾燥剤を吸湿温度領域に属する温度にする作動手段を備え、再生手段及び作動手段の少なくとも一方が施設内で生じた排熱による高熱又は低熱によって制御流体を温度調整する。このため、例えば、再生手段が制御流体を温度調整する場合、再生手段は、排熱によって高温にされた制御流体によって、乾燥剤を脱水温度領域に属する温度にすることが可能である。また、例えば、作動手段が制御流体を温度調整する場合、作動手段は、排熱によって低温となった制御流体によって、乾燥剤を吸湿温度領域に属する温度にすることが可能である。
【００１５】
こうして、この空気調湿システムでは、再生手段が制御流体を温度調整するに当たり、施設内で生じた排熱を利用することができる。また、作動手段が制御流体を温度調整するに当たっても、施設内で生じた排熱を利用することができる。これにより、省エネルギーの下で、乾燥剤を再生したり、乾燥剤を作動させたりすることができる。
【００１６】
したがって、本発明の空気調湿システムによれば、優れた省エネルギーを実現しつつ、施設内に設けられた建物の空気を連続的に調湿可能である。
【００１７】
制御流体としては、水や油等の液体の他、空気等の気体を採用することができる。施設が工場である場合、工場内で取り扱われる流体を制御流体とすることができる。高熱を有する排熱としては、例えば、施設内に焼成炉やボイラ等の設備が存在する場合に、そこで生じた排熱が挙げられる。低熱を有する排熱としては、例えば、施設内に冷凍庫等の設備が存在する場合に、そこで生じた排熱が挙げられる。
【００１８】
再生手段は、太陽光による発熱で制御流体を高温制御流体とする太陽熱流体高温化手段と、排熱による高熱によって制御流体を高温制御流体とする第１流体高温化手段とを有し得る。そして、供給装置は、施設の地中を流通する地下水によって調湿前空気を低温空気とする空気低温化手段を有していることが好ましい。
【００１９】
この場合には、再生手段は、太陽熱流体高温化手段と第１流体高温化手段とによる高温制御流体によって、乾燥剤を脱水温度領域に属する温度にすることが可能である。また、空気低温化手段が調湿前空気を低温空気とするため、乾燥剤は、調湿室内において、吸湿温度領域となる。また、吐出装置が低温空気を建物内に吐出すれば、建物内の調湿だけでなく冷房も行うことが可能となる。さらに、空気低温化手段は、地下水によって調湿前空気を低温空気とする。地下水は気候の変動を受け難く、年間を通して比較的温度が安定している。このため、調湿前空気を低温空気とするに当たって、例えば冷凍回路のような専用の装置を用いる場合と比べて、省エネルギーで調湿前空気を低温空気とするができる。このため、この空気調湿システムでは、省エネルギーで建物内の調湿及び冷房を行うことが可能となる。
【００２０】
また、再生手段は、太陽光による発熱で制御流体を高温制御流体とする太陽熱流体高温化手段と、排熱による高熱によって制御流体を高温制御流体とする第１流体高温化手段とを有し得る。そして、作動手段は、排熱による低熱及び施設の地中を流通する地下水の少なくとも一方によって制御流体を低温制御流体とする第１流体低温化手段を有することも好ましい。
【００２１】
この場合にも、再生手段は、太陽熱流体高温化手段と第１流体高温化手段とによる高温制御流体によって、乾燥剤を脱水温度領域に属する温度にすることが可能である。また、作動手段は、第１流体低温化手段による低温制御流体によって、乾燥剤を吸湿温度領域に属する温度にすることが可能である。さらに、第１流体低温化手段は、排熱による低熱及び地下水の少なくとも一方によって制御流体を低温制御流体とする。このため、この空気調湿システムでは、省エネルギーで乾燥剤の再生と作動とを行うことが可能となる。
【００２２】
第１流体高温化手段は、調湿前空気を高温空気とすることが好ましい。この場合には、高温制御流体の他に、高温空気によっても乾燥剤を脱水温度領域に属する温度にすることが可能となる。このため、乾燥剤を好適に再生することが可能となる。また、第１流体高温化手段が調湿前空気を高温空気とすることにより、例えば、ヒートポンプのような専用の装置を用いる場合と比べて、省エネルギーで調湿前空気を高温空気にすることが可能となる。さらに、調湿機を経た高温空気を調湿後空気として吐出装置が建物内に吐出すれば、建物内の調湿と暖房とを行うことが可能となる。
【００２３】
第１流体低温化手段は、調湿前空気を低温空気とすることが好ましい。この場合には、低温制御流体の他に、低温空気によっても乾燥剤を吸湿温度領域に属する温度にすることが可能となる。このため、乾燥剤を好適に作動させることが可能となる。また、第１流体低温化手段が調湿前空気を低温空気にすることにより、省エネルギーで調湿前空気を低温空気とすることが可能となる。さらに、調湿機を経た低温空気を調湿後空気として吐出装置が建物内に吐出すれば、建物内の調湿と冷房とを行うことが可能となる。
【発明の効果】
【００２４】
本発明の空気調湿システムによれば、優れた省エネルギーを実現しつつ、施設内に設けられた建物の空気を連続的に調湿可能である。
【図面の簡単な説明】
【００２５】
【図１】図１は、実施例１の空気調湿システムを示す模式構造図である。
【図２】図２は、実施例１の空気調湿システムに係り、フィン群を示す要部拡大断面図である。
【図３】図３は、実施例２の空気調湿システムを示す模式構造図である。
【図４】図４は、実施例３の空気調湿システムを示す模式構造図である。
【発明を実施するための形態】
【００２６】
以下、本発明を具体化した実施例１〜３を図面を参照しつつ説明する。
【００２７】
（実施例１）
図１に示すように、実施例１の空気調湿システムは、工場１００内の作業棟２００に採用されている。工場１００は本発明における施設の一例であり、作業棟２００は本発明における建物の一例である。
【００２８】
空気調湿システムは、調湿機１と、太陽熱温水器３と、焼成炉５と、第１熱交換ユニット７と、ラジエータ９と、配管２０〜３３と、第１、２送風ファン１９ａ、１９ｂと、第１、２ポンプＰ１、Ｐ２と、第１〜３切替弁Ｖ１〜Ｖ３と、制御装置３９とを備えている。
【００２９】
調湿機１は、ハウジング１１と、第１、２流体管１２、１３と、フィン群１４とを有している。ハウジング１１の内部には、調湿室１１０が形成されている。また、ハウジング１１には、第１〜３流入口１１ａ〜１１ｃと、第１〜３流出口１１ｄ〜１１ｆとが形成されている。第１〜３流入口１１ａ〜１１ｃ及び第１〜３流出口１１ｄ〜１１ｆは、それぞれ調湿室１１０と連通している。第１流入口１１ａが本発明における流入口に相当しており、第１流出口１１ｄが本発明における流出口に相当している。
【００３０】
第１、２流体管１２、１３は、それぞれ調湿室１１０内に設けられており、内部を制御流体としての水が流通可能となっている。第１流体管１２は、両端でそれぞれ第２流入口１１ｂ及び第２流出口１１ｅに接続されている。同様に、第２流体管１３は、両端でそれぞれ第３流入口１１ｃ及び第３流出口１１ｆに接続されている。第１流体管１２及び第２流体管１３は、調湿室１１０内を蛇行するように延びている。
【００３１】
フィン群１４は、第１流体管１２及び第２流体管１３にそれぞれ設けられている。図２に示すように、フィン群１４は、複数本の金属製のフィン本体１４ａと、各フィン本体１４ａの表面に形成された除湿層１４ｂとで構成されている。除湿層１４ｂは、吸湿温度領域及び脱水温度領域が存在する可逆的水分吸着特性を有する乾燥剤を含んでいる。ここで、可逆的水分吸着特性とは、乾燥剤が吸湿温度領域の属する温度にあれば、周囲の水分を吸収し、乾燥剤が脱水温度領域の属する温度にあれば、吸収した水分を周囲に放出するという特性である。本実施例では、乾燥剤として合成ゼオライトが採用されている。これにより、フィン群１４では、除湿層１４ｂの温度が約０°Ｃ〜３０°Ｃとなれば、乾燥剤が吸湿温度領域の属する温度になり、周囲の水分を吸収する。そして、除湿層１４ｂの温度が約６０°Ｃ〜８０°Ｃとなれば、乾燥剤が脱水温度領域の属する温度になり、吸収した水分を周囲に放出するようになっている。なお、フィン本体１４ａの個数は適宜変更可能である。また、乾燥剤として合成ゼオライト以外のものを採用することもできる。
【００３２】
図１に示すように、太陽熱温水器３は作業棟２００の屋上に配置されている。太陽熱温水器３は本発明における太陽熱流体高温化手段の一例である。太陽熱温水器３は、内部を水が流通可能な温水器本体３ａを有している。また、太陽熱温水器３には、温水器本体３ａ内に連通する流入口３ｂ及び流出口３ｃが形成されている。太陽熱温水器３は、流入口３ｂから温水器本体３ａ内に流入した水を太陽光による発熱で加熱して高温制御流体としての温水とし、この温水を流出口３ｃから流出させることが可能となっている。太陽熱温水器３は、制御装置３９に電気的に接続されている。
【００３３】
焼成炉５は作業棟２００内に配置されている。焼成炉５は本発明における第１流体高温化手段の一例である。焼成炉５には、流入口５ａと流出口５ｂとが形成されている。焼成炉５は、製品の焼成作業を行う他、流入口５ａから流入した水を焼成作業で生じた高熱の排熱によって加熱し、温水として流出口５ｂから流出させることが可能となっている。
【００３４】
第１熱交換ユニット７は、工場１００の地下に埋設されている。第１熱交換ユニット７は本発明における空気低温化手段の一例である。第１熱交換ユニット７には、第１、２流入口７ａ、７ｂと、第１、２流出口７ｃ、７ｄとが形成されている。また、第１熱交換ユニット７内には、両端側でそれぞれ第２流入口７ｂ及び第２流出口７ｄと接続する第１通路７ｅが設けられている。第１通路７ｅは、第１熱交換ユニット７内を蛇行するように延びている。第１通路７ｅ内には調湿前空気が流通可能となっている。
【００３５】
この第１熱交換ユニット７では、地下を流通する地下水ＧＷが第１流入口７ａから内部に流入する。そして、地下水ＧＷは、第１熱交換ユニット７の内部を流通して第１流出口７ｃから流出する。この際、第１熱交換ユニット７では、第１通路７ｅ内を流通する調湿前空気と地下水ＧＷとで熱交換を行うことにより、調湿前空気を冷却して低温空気とすることが可能となっている。なお、調湿前空気についての詳細は後述する。
【００３６】
ラジエータ９は、工場１００内に配置されている。ラジエータ９には、内部に低温空気を流入させる流入口９ａと、低温空気を流出させる流出口９ｂとが形成されている。ラジエータ９は、内部を流通する低温空気と外部の空気との間で熱交換を行い、低温空気を冷却することが可能となっている。また、ラジエータ９の近傍には電動ファン９ｃが設けられている。この電動ファン９ｃは制御装置３９に電気的に接続されている。
【００３７】
配管２０は、一端が作業棟２００内に開口しており、他端が第１切替弁Ｖ１に接続している。配管２０内には、作業棟２００内の空気が流通可能となっている。配管２１は、一端が作業棟２００の外部に開口しており、他端が第１切替弁Ｖ１に接続している。配管２１内には、作業棟２００の外部の空気が流通可能となっている。配管２２は、一端が第１切替弁Ｖ１に接続しており、他端が第１熱交換ユニット７の第２流入口７ｂを通じて第１通路７ｅに接続している。配管２２内には、配管２０を経た作業棟２００内の空気や配管２１を経た作業棟２００の外部の空気が調湿前空気として流通可能となっている。
【００３８】
配管２３は、一端が第１熱交換ユニット７の第２流出口７ｄを通じて第１通路７ｅに接続しており、他端が第３切替弁Ｖ３に接続している。配管２４は、一端が切替弁Ｖ３に接続しており、他端がハウジング１１の第１流入口１１ａに接続している。配管２３、２４内には、第１熱交換ユニット７を経た低温空気が流通可能となっている。また、配管２４には、温度センサ２４０が設けられている。温度センサ２４０は、配管２４内を流通する低温空気の温度を検出することが可能となっている。温度センサ２４０は、制御装置３９と電気的に接続されている。
【００３９】
配管２５は、一端がハウジング１１の第１流出口１１ｄに接続しており、他端が第２切替弁Ｖ２に接続している。配管２６は、一端が第２切替弁Ｖ２に接続しており、他端が作業棟２００内に開口している。配管２７は、一端が第２切替弁Ｖ２に接続しており、他端が作業棟２００の外部に開口している。配管２５〜２６内には、調湿機１を経た調湿後空気が流通可能となっている。なお、調湿後空気についての詳細は後述する。
【００４０】
配管２８は、一端が太陽熱温水器３の流出口３ｃに接続しており、他端がハウジング１１の第２流入口１１ｂを通じて第１流体管１２に接続している。配管２９は、一端がハウジング１１の第２流出口１１ｅを通じて第１流体管１２に接続しており、他端が太陽熱温水器３の流入口３ｂに接続している。配管２８、２９内には、水（温水）が流通可能となっている。
【００４１】
配管３０は、一端が焼成炉５の流出口５ｂに接続しており、他端がハウジング１１の第３流入口１１ｃを通じて第２流体管１３に接続している。配管３１は、一端がハウジング１１の第３流出口１１ｆを通じて第２流体管１３に接続しており、他端が焼成炉５の流入口５ａに接続している。配管３０、３１内には、水（温水）が流通可能となっている。
【００４２】
配管３２は、一端が第３切替弁Ｖ３に接続しており、他端がラジエータ９の流入口９ａに接続している。配管３３は、一端がラジエータ９の流出口９ｂに接続しており、他端が配管２４に接続している。配管３２内には、配管２３を流通した低温空気が流通可能となっている。配管３３内には、ラジエータ９を経た低温空気が流通可能となっている。
【００４３】
第１送風ファン１９ａは配管２２に設けられており、配管２２を流通する調湿前空気を第１熱交換ユニット７、ひいては調湿機１に向けて送風する。第２送風ファン１９ｂは配管２５に設けられており、配管２５を流通する調湿後空気を配管２６や配管２７に向けて送風する。これらの第１、２送風ファン１９ａ、１９ｂは、それぞれ制御装置３９に電気的に接続されている。
【００４４】
第１ポンプＰ１は、配管２８に設けられている。第１ポンプＰ１は、配管２８及び配管２９を通じて、太陽熱温水器３と第１流体管１２との間で水（温水）を循環させることが可能となっている。第２ポンプＰ２は、配管３０に設けられている。第２ポンプＰ２は、配管３０及び配管３１を通じて、焼成炉５と第２流体管１３との間で水（温水）を循環させることが可能となっている。これらの第１、２ポンプＰ１、Ｐ２は、それぞれ制御装置３９に電気的に接続されている。なお、第１ポンプＰ１を配管２９に設けても良く、第２ポンプＰ２を配管３１に設けても良い。
【００４５】
第１切替弁Ｖ１は、内部の流路を切り替えることにより、配管２０と配管２２とを連通する一方で、配管２０及び配管２２と配管２１とを非連通とすることが可能となっている。また、第１切替弁Ｖ１は、内部の流路を切り替えることにより、配管２１と配管２２とを連通する一方で、配管２１及び配管２２と配管２０とを非連通とすることも可能となっている。さらに、第１切替弁Ｖ１は、内部の流路を切り替えることにより、配管２０、配管２１及び配管２２をともに連通することが可能となっている。
【００４６】
第２切替弁Ｖ２は、内部の流路を切り替えることにより、配管２５と配管２６とを連通する一方で、配管２５及び配管２６と配管２７とを非連通とすることが可能となっている。また、第２切替弁Ｖ２は、内部の流路を切り替えることにより、配管２５と配管２７とを連通する一方で、配管２５及び配管２７と配管２６とを非連通とすることも可能となっている。さらに、第２切替弁Ｖ２は、内部の流路を切り替えることにより、配管２５、配管２６及び配管２７をともに連通することが可能となっている。
【００４７】
第３切替弁Ｖ３は、内部の流路を切り替えることにより、配管２３と配管２４とを連通する一方で、配管２３及び配管２４と配管３２とを非連通とすることが可能となっている。また、第３切替弁Ｖ３は、内部の流路を切り替えることにより、配管２３と配管３２とを連通する一方で、配管２３及び配管３２と配管２４とを非連通とすることが可能となっている。さらに、第３切替弁Ｖ３は、内部の流路を切り替えることにより、配管２３、配管２４及び配管３２をともに連通することが可能となっている。これらの第１〜３切替弁Ｖ１〜Ｖ３は、それぞれ制御装置３９に電気的に接続されている。
【００４８】
制御装置３９は、作業棟２００内に設けられている。制御装置３９は、太陽熱温水器３、電動ファン９ｃ、第１、２送風ファン１９ａ、１９ｂ、第１、２ポンプＰ１、Ｐ２及び第１〜３切替弁Ｖ１〜Ｖ３の作動制御を行うことが可能となっている。
【００４９】
この空気調湿システムでは、配管２０〜２４と、配管３２、３３と、第１熱交換ユニット７の第１通路７ｅと、ラジエータ９と、第１送風ファン１９ａと、第１、３切替弁Ｖ１、Ｖ３とによって、本発明における供給装置が構成されている。また、配管２５〜２７と、第２送風ファン１９ｂと、第２切替弁Ｖ２とによって、本発明における吐出装置が構成されている。また、太陽熱温水器３及び焼成炉５によって、本発明における再生手段が構成されている。さらに、配管２８〜３１及び第１、２ポンプＰ１、Ｐ２によって、本発明における制御流体供給装置が構成されている。そして、この空気調湿システムでは、第１熱交換ユニット７が本発明における空気低温化手段と作動手段とを兼ねている。
【００５０】
この空気調湿システムでは、作業棟２００内の調湿を行うに当たって、制御装置３９は、第１切替弁Ｖ１を作動させて、配管２０と配管２２とを連通する。また、制御装置３９は、第２切替弁Ｖ２を作動させて、配管２５と配管２６とを連通する。さらに、制御装置３９は、第３切替弁Ｖ３を作動させて、配管２３と配管２４とを連通する。そして、制御装置３９は、第１、２送風ファン１９ａ、１９ｂをそれぞれ作動させる。
【００５１】
これにより、配管２２内には、配管２０を経た作業棟２００内の空気が調湿前空気として流通し、第１熱交換ユニット７の第２流入口７ｂから第１通路７ｅ内を流通する。この際、上記のように、第１通路７ｅ内を流通する調湿前空気は、地下水ＧＷとの熱交換によって冷却され、低温空気として配管２３に流出する。配管２３に流出した低温空気は、配管２４を経て調湿機１のハウジング１１の第１流入口１１ａから調湿室１１０内に流入する。このため、調湿室１１０内では、低温空気によって各フィン群１４の除湿層１４ｂが冷却され、乾燥剤が吸湿温度領域に属する温度になる。このため、除湿層１４ｂでは、乾燥剤が低温空気に含まれる水分を吸収する。こうして、低温空気は、吸湿された調湿後空気として第１流出口１１ｄから配管２５に流出する。配管２５に流出した調湿後空気は、第２送風ファン１９ｂによって送風され、配管２６を経て作業棟２００内に放出される。これにより、この空気調湿システムでは、調湿後空気によって、作業棟２００内を調湿、より具体的には、除湿を行うことができる。また、調湿後空気は低温であることから、この空気調湿システムでは、調湿後空気によって作業棟２００内の冷房も同時に行うことが可能となっている。
【００５２】
ここで、この空気調湿システムでは、温度センサ２４０が配管２４内を流通する低温空気の温度を検出して制御装置３９に送信する。そして、制御装置３９は、配管２４内を流通する低温空気の温度が所定値よりも高い場合には、第３切替弁Ｖ３を作動させて、配管２３と配管３２とを連通する。また、制御装置３９は、電動ファン９ｃを作動させる。これにより、配管２３に流出した低温空気は、配管３２を経てラジエータ９の流入口９ａからラジエータ９内に流入する。そして、ラジエータ９において低温空気は外部の空気と熱交換によってさらに冷却され、流出口９ｂから配管３３に流出する。配管３３に流出した低温空気は、配管２４を経て上記のように、第１流入口１１ａから調湿室１１０内に流入する。こうして、この空気調湿システムでは、低温空気を好適に冷却することが可能となっている。なお、第３切替弁Ｖ３を作動させて、配管２３と配管３２と配管３２とを共に連通し、配管２３に流出した低温空気の一部がラジエータ９によって冷却されるようにしても良い。
【００５３】
また、作業棟２００内の調湿を行うに当たって、第１切替弁Ｖ１が配管２０と配管２２とを連通しているが、これに限らず、第１切替弁Ｖ１は、配管２１と配管２２とを連通しても良い。これにより、配管２１を経た作業棟２００の外部の空気を調湿前空気とすることもできる。また、第１切替弁Ｖ１が配管２０と配管２１と配管２２とを連通することにより、作業棟２００内の空気と作業棟２００の外部の空気とを共に調湿前空気とすることもできる。
【００５４】
一方、乾燥剤は、吸湿を続けることにより、次第に吸湿能力が低下する。そのため、この場合には、空気調湿システムでは、制御装置３９が太陽熱温水器３及び第１、２ポンプＰ１、Ｐ２を作動させる。また、制御装置３９は、作業棟２００内の調湿を行う場合と同様に、第１、２送風ファン１９ａ及び第１切替弁Ｖ１を作動させる。さらに、制御装置３９は、第２切替弁Ｖ２の制御を行い、配管２５と配管２７とを連通する。
【００５５】
これにより、太陽熱温水器３では、太陽熱温水器３は、太陽光による発熱によって温水器本体３ａ内の水を加熱して温水とし、この温水を流出口３ｃから配管２８に流出する。配管２８に流出した温水は、第１流体管１２内を流通する。また、焼成炉５で生じた高熱の排熱によって加熱された温水が流出口５ｂから配管３０に流出する。配管３０に流出した温水は、第２流体管１３内を流通する。
【００５６】
このため、第１、２流体管１２、１３は、内部を流通する温水によって加熱され、各フィン群１４では、フィン本体１４ａを通じて除湿層１４ｂが加熱される。これにより、除湿層１４ｂでは、乾燥剤が脱水温度領域に属する温度になり、乾燥剤は吸収した水分を調湿室１１０内に放出する。こうして、この空気調湿システムでは、乾燥剤の吸湿能力を再生させることが可能となっている。なお、例えば、焼成炉５から排出される排熱が十分に高熱であり、第２流体管１３内を流通する温水のみによって、乾燥剤を脱水温度領域に属する温度にすることができる場合には、制御装置３９は、太陽熱温水器３及び第１ポンプＰ１を停止しても良い。
【００５７】
一方、乾燥剤から調湿室１１０内に放出された水分は、調湿室１１０内を流通する低温空気に吸収される。これにより、低温空気は、加湿された調湿後空気として第１流出口１１ｄから配管２５に流出する。配管２５に流出した調湿後空気は、配管２７を経て作業棟２００の外部に放出される。なお、必要に応じて、第２切替弁Ｖ２の切替制御を行うことにより、調湿後空気の全て又は一部を配管２６から作業棟２００内に放出することによって、作業棟２００内の加湿を行うこともできる。
【００５８】
こうして、この空気調湿システムでは、乾燥剤を吸湿温度領域に属する温度と、脱水温度領域に属する温度とに繰り返し変化させることにより、作業棟２００の空気を調湿することが可能となっている。
【００５９】
そして、この空気調湿システムでは、太陽熱温水器３と焼成炉５とによって水を加熱して温水とすることができ、結果として、除湿層１４ｂに含まれる乾燥剤を脱水温度領域に属する温度にすることが可能となっている。つまり、この空気調湿システムでは、乾燥剤の吸湿能力を再生させるに当たり、工場１００内で生じた排熱、より具体的には、焼成炉５で生じた排熱の高熱を利用することが可能となっている。さらに、この空気調湿システムでは、太陽光による発熱も利用すること可能となっている。このため、乾燥剤を再生するだけのために専用のヒートポンプを用いる場合と比べ、費やすエネルギーを少なくすることができる。
【００６０】
また、この空気調湿システムでは、第１熱交換ユニット７が調湿前空気を低温空気とするため、この低温空気によって、乾燥剤を冷却して吸湿温度領域に属する温度にすることができる。ここで、第１熱交換ユニット７は、地下水ＧＷとの熱交換によって調湿前空気を低温空気とする。地下水ＧＷは気候の変動を受け難く、年間を通して比較的温度が安定しているため、調湿前空気を安定的に低温空気とすることができる。また、地下水ＧＷとの熱交換を行うことにより、例えば冷凍回路のような専用の装置を用いる場合と比べて、省エネルギーで調湿前空気を低温空気とすることが可能となっている。このように、この空気調湿システムでは、乾燥剤を作動させて低温空気中の水分を吸収させるに当たっても、費やすエネルギーを少なくすることができる。
【００６１】
したがって、実施例１の空気調湿システムによれば、優れた省エネルギーを実現しつつ、工場１００内に設けられた作業棟２００の空気を調湿可能である。
【００６２】
特に、この空気調湿システムでは、焼成炉５で生じた排熱の高熱だけでなく、太陽光による発熱も利用することにより、水を好適に加熱することが可能となっている。これにより、例えば、焼成炉５が作動していない場合であっても、太陽熱温水器３によって水を加熱することにより、乾燥剤を脱水温度領域に属する温度にして吸湿能力を回復させることが可能となっている。
【００６３】
さらに、この空気調湿システムは、ラジエータ９を備えている。このため、地下水ＧＷとの熱交換だけでは、調湿前空気を十分に温度が低い低温空気とすることができず、低温空気によって、乾燥剤を吸湿温度領域に属する温度にし得ない場合の他、作業棟２００内の冷房を好適に行えない場合であっても、ラジエータ９によって低温空気をさらに冷却することが可能となっている。このため、この空気調湿システムでは、調湿後空気によって、作業棟２００内の除湿と冷房とを好適に行うことが可能となっている。
【００６４】
（実施例２）
図３に示すように、実施例２の空気調湿システムでは、調湿機１が第３流体管１５をさらに有している。また、ハウジング１１には、第４流入口１１ｇと、第４流出口１１ｈとがさらに形成されている。そして、この空気調湿システムは、第２熱交換ユニット７０と、配管３４、３５と、第３ポンプＰ３とを備えている。一方、この空気調湿システムでは、実施例１の空気調湿システムと異なり、第１熱交換ユニット７と、配管２３、２４、３２、３３と、ラジエータ９と、電動ファン９ｃと、第３切替弁Ｖ３とを備えていない。
【００６５】
第１、２流体管１２、１３と同様、第３流体管１５も調湿室１１０内に設けられており、内部を制御流体としての水が流通可能となっている。第３流体管１５は、両端でそれぞれ第４流入口１１ｇ及び第４流出口１１ｈに接続されている。第３流体管１５も調湿室１１０内を蛇行するように延びている。また、第３流体管１５にもフィン群１４が設けられている。
【００６６】
第２熱交換ユニット７０も、工場１００の地下に埋設されている。第２熱交換ユニット７０は、本発明における第１流体低温化手段の一例である。熱交換ユニット７０には、第１、２流入口７０ａ、７０ｂと、第１、２流出口７０ｃ、７０ｄとが形成されている。また、第２熱交換ユニット７０内には、両端側でそれぞれ第２流入口７０ｂ及び第２流出口７０ｄと接続する第１通路７０ｅが設けられている。第１通路７０ｅは、第２熱交換ユニット７０内を蛇行するように延びている。第１通路７０ｅ内には水が流通可能となっている。また、上記の第１熱交換ユニット７と同様、この第２熱交換ユニット７０においても、地下水ＧＷが第１流入口７０ａから内部に流入して、第１流出口７０ｃから流出するようになっている。これにより、第２熱交換ユニット７０では、地下水ＧＷとの熱交換によって、第１通路７０ｅ内を流通する水を冷却し、低温制御流体としての冷水とすることが可能となっている。
【００６７】
配管３４は、一端が第２熱交換ユニット７０の第２流出口７０ｄを通じて第１通路７０ｅに接続しており、他端がハウジング１１の第４流入口１１ｇを通じて第３流体管１５に接続している。配管３５は、一端がハウジング１１の第４流出口１１ｈを通じて第３流体管１５に接続しており、他端が第２熱交換ユニット７０の第２流入口７０ｂを通じて第１通路７０ｅに接続している。配管３４、３５内には、水（冷水）が流通可能となっている。また、この空気調湿システムでは、実施例１の空気調湿システムと異なり、配管２２の他端がハウジング１１の第１流入口１１ａに接続している。
【００６８】
第３ポンプＰ３は、配管３５に設けられている。第３ポンプＰ３は、配管３４及び配管３５を通じて、第２熱交換ユニット７０と第３流体管１５との間で水（冷水）を循環させることが可能となっている。第３ポンプＰ３も、制御装置３９に電気的に接続されている。なお、第３ポンプＰ３を配管３４に設けても良い。
【００６９】
この空気調湿システムでは、配管２８〜３１、３４、３５と、第１〜３ポンプＰ１〜３とによって、本発明における制御流体供給装置が構成されている。また、配管２０〜２２と、第１送風ファン１９ａと、第１切替弁Ｖ１とによって、本発明における供給装置が構成されている。この空気調湿システムにおける他の構成は実施例１の空気調湿システムと同様であり、同一の構成については同一の符号を付して構成に関する詳細な説明を省略する。
【００７０】
この空気調湿システムによって作業棟２００内の除湿を行う場合、制御装置３９は第３ポンプＰ３を作動させる。また、制御装置３９は、実施例１の空気調湿システムによって作業棟２００内の除湿を行う場合と同様に、第１、２切替弁Ｖ１、Ｖ２及び第１、２送風ファン１９ａ、１９ｂをそれぞれ作動させる。
【００７１】
これにより、第２熱交換ユニット７０において地下水ＧＷと熱交換されて冷却された冷水が配管３４内に流出し、第３流体管１５内を流通する。このため、第３流体管１５は、内部を流通する冷水によって冷却され、第３流体管１５に設けられたフィン群１４では、フィン本体１４ａを通じて除湿層１４ｂが冷却される。また、冷水が流通する第３流体管１５によって、調湿室１１０内が冷却されるため、第１、２流体管１２、１３に設けられたフィン群１４においても、除湿層１４ｂが冷却される。こうして、この空気調湿システムにおいても、乾燥剤が吸湿温度領域に属する温度になる。また、調湿室１１０内には、配管２２を経た調湿前空気が第１流入口１１ａから流入する。このため、乾燥剤は、調湿前空気に含まれる水分を吸収する。こうして、調湿前空気は、吸湿された調湿後空気として第１流出口１１ｄから配管２５に流出する。そして、実施例１の空気調湿システムと同様、配管２５、２６を経た調湿後空気が作業棟２００内に放出されることで、作業棟２００内の除湿を行うことができる。
【００７２】
また、この空気調湿システムにおいて、乾燥剤の吸湿能力を再生させる場合には、制御装置３９は、第３ポンプＰ３の作動を停止する。他は、実施例１の空気調湿システムによって、乾燥剤の吸湿能力を再生させる場合と同様である。なお、第１、２流体管１２、１３内を温水が流通することで調湿室１１０内が加熱されるため、第３流体管１５に設けられたフィン群１４の除湿層１４ｂでも、乾燥剤は加熱されて脱水温度領域に属する温度になり、乾燥剤は吸収した水分を調湿室１１０内に放出する。
【００７３】
このように、この空気調湿システムでは、第２熱交換ユニット７０よって冷却された冷水によって、乾燥剤を冷却して吸湿温度領域に属する温度にすることができる。そして、第２熱交換ユニット７０は、地下水ＧＷとの熱交換によって水を冷水にするため、専用の冷却装置を用いて水を冷却する場合と比べて、省エネルギーで水を冷却することができる。また、この空気調湿システムでは、実施例１の空気調湿システムと異なり、調湿前空気は冷却されることなく調湿室１１０内に流入する。このため、この空気調湿システムでは、調湿後空気を作業棟２００内に放出することにより、作業棟２００内の温度をさほど変化させることなく、作業棟２００内を除湿することができる。この空気調湿システムにおける他の作用は実施例１の空気調湿システムと同様である。
【００７４】
（実施例３）
図４に示すように、実施例３の空気調湿システムは、実施例２の空気調湿システムの各構成に加えて、第３熱交換ユニット７１と、配管３６〜４０と、第４ポンプＰ４と、第４切替弁Ｖ４とをさらに備えている。また、この空気調湿システムは、実施例１の空気調湿システムと同様に、ラジエータ９と、電動ファン９ｃと、配管２３、２４、３２、３３と、第３切替弁Ｖ３とを備えている。
【００７５】
また、この空気調湿システムでは、第２熱交換ユニット７０に対して、第３流入口７０ｆと、第３流出口７０ｇとがさらに形成されている。さらに、第２熱交換ユニット７０内には、両端側でそれぞれ第３流入口７０ｆ及び第３流出口７０ｇと接続する第２通路７０ｈがさらに設けられている。第２通路７０ｈも、第２熱交換ユニット７０内を蛇行するように延びている。第２通路７０ｈ内には調湿前空気が流通可能となっている。これにより、第２熱交換ユニット７０では、地下水ＧＷとの熱交換によって第１通路７０ｅ内を流通する水を冷却して冷水とすることが可能となっているとともに、地下水ＧＷとの熱交換によって第２通路７０ｈ内を流通する調湿前空気を冷却して低温空気とすることが可能となっている。なお、この第２熱交換ユニット７０では、第２通路７０ｈが第１通路７０ｅよりも地下水ＧＷの流通方向の上流側に配置されているが、これに限らず、第１通路７０ｅを第２通路７０ｈよりも地下水ＧＷの流通方向の上流側に配置しても良い。また、第２熱交換ユニット７０内において、第１通路７０ｅと第２通路７０ｈとを並列に配置しても良い。
【００７６】
また、この空気調湿システムでは、焼成炉５に対して、流入口５ｃと流出口５ｄとがさらに形成されている。これにより、焼成炉５では、流入口５ａ、５ｃから流入した水を焼成作業によって生じた高熱の排熱によって加熱し、温水として流出口５ｂ、５ｄからそれぞれ流出させることが可能となっている。
【００７７】
第３熱交換ユニット７１には、第１、２流入口７１ａ、７１ｂと、第１、２流出口７１ｃ、７１ｄとが形成されている。また、第３熱交換ユニット７１内には、両端側でそれぞれ第２流入口７１ｂ及び第２流出口７１ｄと接続する第１通路７１ｅが設けられている。第１通路７１ｅは、第３熱交換ユニット７１内を蛇行するように延びている。第１通路７１ｅ内には、焼成炉５で生じた高熱の排熱によって加熱された温水が流通可能となっている。また、第３熱交換ユニット７１内には、調湿前空気が第１流入口７１ａから流入可能となっている。そして、第３熱交換ユニット７１では、第１通路７１ｅ内を流通する温水と調湿前空気とで熱交換を行うことが可能となっている。これにより、第３熱交換ユニット７１では、調湿前空気を加熱して高温空気とすることが可能となっている。
【００７８】
配管３６は、一端が焼成炉５の流出口５ｄに接続しており、他端が第３熱交換ユニット７１の第２流入口７１ｂを通じて第１通路７１ｅに接続している。配管３７は、一端が第３熱交換ユニット７１の第２流出口７１ｄを通じて第１通路７１ｅに接続しており、他端が焼成炉５の流入口５ｃに接続している。配管３６、３７内には、配管２８〜３１内と同様に、水（温水）が流通可能となっている。
【００７９】
配管２２は、一端が第２切替弁Ｖ２に接続しており、他端が第４切替弁Ｖ４に接続している。配管３８は、一端が第４切替弁Ｖ４に接続しており、他端が第３熱交換ユニット７１の第１流入口７１ａに接続している。配管３９は、一端が第３熱交換ユニット７１の第１流出口７１ｃに接続しており、他端がハウジング１１の第１流入口１１ａに接続している。配管２２、３８内には、調湿前空気が流通可能となっている。また、配管３９内には、第３熱交換ユニット７１を経た調湿前空気又は高温空気の他、配管２４を経た低温空気が流通可能となっている。
【００８０】
配管４０は、一端が第４切替弁Ｖ４に接続しており、他端が第２熱交換ユニット７０の第３流入口７０ｆを通じて第２通路７０ｈに接続している。配管２３は、一端が第２熱交換ユニット７０の第３流出口７０ｇを通じて第２通路７０ｈに接続しており、他端が第３切替弁Ｖ３に接続している。配管４０内には調湿前空気が流通可能となっており、配管２３内には、低温空気が流通可能となっている。配管２４は、一端が第３切替弁Ｖ３に接続しており、他端が配管３９に接続している。配管２４内には、低温空気が流通可能となっている。また、実施例１の空気調湿システムと同様、配管２４には温度センサ２４０が設けられている。
【００８１】
第４ポンプＰ４は、配管３６に設けられている。第４ポンプＰ４は、配管３６及び配管３７を通じて、焼成炉５と第３熱交換ユニット７１との間で水（温水）を循環させることが可能となっている。第４ポンプＰ４も制御装置３９に電気的に接続されている。なお、第４ポンプＰ４を配管３７に設けても良い。
【００８２】
第４切替弁Ｖ４は、内部の流路を切り替えることにより、配管２２と配管３８とを連通する一方で、配管２２及び配管３８と配管４０とを非連通とすることが可能となっている。また、第４切替弁Ｖ４は、内部の流路を切り替えることにより、配管２２と配管４０とを連通する一方で、配管２２及び配管４０と配管３８とを非連通とすることが可能となっている。さらに、第４切替弁Ｖ４は、内部の流路を切り替えることにより、配管２２、配管３８及び配管４０をともに連通することが可能となっている。第４切替弁Ｖ４も制御装置３９に電気的に接続されている。この空気調湿システムにおける他の構成は実施例１、２の空気調湿システムと同様である。
【００８３】
この空気調湿システムによって作業棟２００内の除湿を行う場合、実施例２の空気調湿システムと同様、制御装置３９は、第３ポンプＰ３を作動させる。これにより、除湿層１４ｂが冷却され、乾燥剤が吸湿温度領域に属する温度になる。
【００８４】
また、制御装置３９は、実施例２の空気調湿システムと同様に、第１、２切替弁Ｖ２及び第１、２送風ファン１９ａ、１９ｂをそれぞれ作動させる。さらに、制御装置３９は、第４切替弁Ｖ４を作動させて、配管２２と配管３８とを連通する。これにより、配管２２、３８を流通した調湿前空気が第１流入口７１ａから第３熱交換ユニット７１内に流入する。ここで、作業棟２００内の除湿を行う場合には、制御装置３９は第４ポンプＰ４を作動さない。このため、第１通路７１ｅ内には温水が流通しておらず、第３熱交換ユニット７１内に流入した調湿前空気は、加熱されることなく、そのまま調湿前空気として第１流出口７１ｃから配管３９へ流出する。配管３９へ流出した調湿前空気は、ハウジング１１の第１流入口１１ａから調湿室１１０内へ流入する。
【００８５】
これにより、この空気調湿システムにおいても、乾燥剤は、調湿前空気に含まれる水分を吸収する。こうして、実施例１、２の空気調湿システムと同様、配管２５、２６を経た調湿後空気が作業棟２００内に放出されることで、作業棟２００内の除湿を行うことができる。
【００８６】
また、この空気調湿システムでは制御装置３９が第４切替弁Ｖ４を作動させて、配管２２と配管４０とを連通することも可能である。これにより、配管２２、４０を経た調湿前空気が第２熱交換ユニット７０において地下水ＧＷと熱交換を行い、低温空気となる。そして、この低温空気は、配管２３、２４、３９を経て調湿室１１０内に流入する。この際、温度センサ２４０検出された低温空気の温度が所定値よりも高い場合には、実施例１の空気調湿システムと同様、ラジエータ９によって、低温空気をさらに冷却することが可能となっている。なお、第４切替弁Ｖ４を作動させて、配管２２と配管３８と配管４０とを共に連通し、配管２２を流通する調湿前空気の一部が冷却されて低温空気となるようにしても良い。
【００８７】
そして、低温空気が調湿室１１０内に流入することにより、乾燥剤は、第３流体管１５内を流通する冷水だけでなく低温空気によっても冷却され、吸湿温度領域に属する温度になる。こうして、実施例１の空気調湿システムと同様に、乾燥剤は低温空気に含まれる水分を吸収する。このため、調湿機１を経た調湿後空気を作業棟２００内に放出することで、この空気調湿システムにおいても、作業棟２００内の除湿とともに冷房を行うことが可能となる。なお、この場合には、制御装置３９は第３ポンプＰ３の作動を停止させて、調湿室１１０内に流入した低温空気のみによって、乾燥剤を吸湿温度領域に属する温度に冷却しても良い。
【００８８】
また、この空気調湿システムにおいて、乾燥剤の吸湿能力を再生させる場合には、制御装置３９は、第３ポンプＰ３の作動を停止する。また、制御装置３９は、実施例１の空気調湿システムによって、乾燥剤の吸湿能力を再生させる場合と同様に、第１、２ポンプＰ１、Ｐ２及び第１、２切替弁Ｖ１、Ｖ２を作動させる。さらに、制御装置３９は、第４切替弁Ｖ４を作動させて、配管２２と配管３８とを連通する。これにより、実施例１、２の空気調湿システムと同様、除湿層１４ｂでは、乾燥剤が脱水温度領域に属する温度になることにより、吸収した水分を調湿室１１０内に放出する。
【００８９】
ここで、この空気調湿システムでは、制御装置３９が第４ポンプＰ４を作動させることにより、第３熱交換ユニット７１では、第１通路７１ｅ内を温水が流通し、この第１通路７１ｅ内を流通する温水と調湿前空気との間で熱交換が行われる。これにより、第３熱交換ユニット７１において、調湿前空気が加熱され、高温空気として第１流出口７１ｂから配管３９に流出する。つまり、この空気調湿システムでは、焼成炉５は、第３熱交換ユニット７１を通じて調湿前空気を加熱することで、高温空気とすることが可能となっている。
【００９０】
そして、この高温空気が調湿室１１０内に流入することにより、乾燥剤は、第１、２流体管１５内を流通する温水に加えて、高温空気によっても加熱される。これにより、乾燥剤は脱水温度領域に属する温度になり、吸湿能力を再生させる。このように、この空気調湿システムでは、第１、２流体管１２、１３内を流通する温水だけでなく、高温空気によっても乾燥剤を加熱して吸湿能力を再生させることが可能となっている。なお、乾燥剤が調湿室１１０内に放出した水分は、高温空気に吸収される。このため、この空気調湿システムでは、必要に応じて、第２切替弁Ｖ２の切替制御を行うことにより、加湿された高温空気を調湿後空気として作業棟２００内に放出し、作業棟２００内の加湿とともに暖房を行うこともできる。
【００９１】
このように、この空気調湿システムでは、第３熱交換ユニット７１において、焼成炉５の排熱によって加熱された温水と調湿前空気とが熱交換を行うことにより、専用の加熱装置によって調湿前空気を加熱する場合と比べて、省エネルギーで調湿前空気を高温空気とするが可能となっている。同様に、第２熱交換ユニット７０において、地下水ＧＷと調湿前空気とが熱交換を行うことにより、省エネルギーで調湿前空気を低温空気とすることが可能となっている。この空気調湿システムにおける他の作用は、実施例１、２の空気調湿システムと同様である。
【００９２】
以上において、本発明を実施例１〜３に即して説明したが、本発明は上記実施例１〜３に制限されるものではなく、その趣旨を逸脱しない範囲で適宜変更して適用できることはいうまでもない。
【００９３】
例えば、実施例１〜３の空気調湿システムでは、作業棟２００内に焼成炉５が設けられているが、焼成炉５は、工場１００内に存在していれば、必ずしも作業棟２００内に設けられている必要はない。
【００９４】
また、焼成炉５から排出される高熱の排熱にのみによって水を十分に加熱することができ、結果として、乾燥剤を脱水温度領域に属する温度にすることができる場合には、太陽熱温水器３を省略して空気調湿システムを構成しても良い。
【００９５】
また、工場１００内や作業棟２００内にボイラ等が設けられている場合には、焼成炉５に変えて、ボイラ等を第１流体高温化手段として採用したり、焼成炉５とボイラ等をともに第１流体高温化手段として採用したりすることにより、これらから排出される高熱の排熱によって水を加熱して温水としても良い。
【００９６】
さらに、工場１００内や作業棟２００内に冷凍庫等の設備が設けられている場合には、冷凍庫等から排出される低熱の排熱によって水を冷却して冷水としても良い。この場合、第２流体管１２内を流通する冷水によって、乾燥剤を冷却して吸湿温度領域に属する温度にすることが可能となる。
【００９７】
また、工場１００内や作業棟２００内に、焼成炉５やボイラ等のように高熱の排熱を排出する装置と、冷凍庫等のように低熱の排熱を排出する装置との両方が存在する場合には、これらの両方によって、水を加熱して温水としたり、水を冷却して冷水としたりしても良い。
【００９８】
さらに、配管２８と配管３０とを接続するとともに、配管２９と配管３１とを接続することにより、太陽熱温水器３で加熱された温水と、焼成炉５の排熱で加熱された温水とが第１、２流体管１２、１３内に流入するように構成しても良い。また、ハウジング１１内に第１流体管１２のみを設け、太陽熱温水器３で加熱された温水と、焼成炉５の排熱で加熱された温水とが共に第１流体管１２を流通する構成としても良い。
【００９９】
また、第１送風ファン１９ａ及び又第２送風ファン１９ｂのいずれか一方のみを設ける構成としても良い。
【０１００】
さらに、実施例１〜３の空気調湿システムでは、第１〜３流体管１２、１３、１５内を共に制御流体としての水が流通している。しかし、これに限らず、不凍液や油の他、気体等を制御流体として第１〜３流体管１２、１３、１５内に流通させても良い。また、第１〜３流体管１２、１３、１５において、それぞれ異なる制御流体を流通させても良い。
【０１０１】
また、実施例１、３の空気調湿システムにおいて、ラジエータ９、電動ファン９ｃ、第３切替弁Ｖ３、配管３２、３３及び温度センサ２４０を省略しても良い。
【０１０２】
さらに、実施例２、３の空気調湿システムにおいて、第２熱交換ユニット７０は地下水ＧＷとの熱交換によって、水や調湿前空気を冷却している。しかし、これに限らず、工場１００内や作業棟２００内に冷凍庫等の設備が設けられている場合には、第２熱交換ユニット７０は、冷凍庫等から排出される低温の排熱との熱交換によって、水や調湿前空気を冷却しても良い。また、地下水ＧＷ及び低温の排熱との熱交換によって、水や調湿前空気を冷却しても良い。
【産業上の利用可能性】
【０１０３】
本発明は、建物等の空調装置に利用可能である。
【符号の説明】
【０１０４】
１…調湿機
３…太陽熱温水器（再生手段、太陽熱流体高温化手段）
５…焼成炉（再生手段、第１流体高温化手段）
７…第１熱交換ユニット（作動手段、空気低温化手段）
７ｅ…第１通路（供給装置）
１１…ハウジング
１１ａ…第１流入口（流入口）
１１ｂ…第１流出口（流出口）
１２、１３、１５…第１〜３流体管（流体管）
１４…フィン群
１４ｂ…除湿層
１９ａ…第１送風ファン（供給装置）
１９ｂ…第２送風ファン（吐出装置）
２０〜２４、３２、３３…配管（供給装置）
２５〜２７…配管（吐出装置）
２８〜３１、３４、３５…配管（制御流体供給装置）
７０…第２熱交換ユニット（作動手段、第１流体低温化手段）
１００…工場（施設）
１１０…調湿室
２００…作業棟（建物）
ＧＷ…地下水
Ｐ１〜Ｐ３…第１〜３ポンプ（制御流体供給装置）
Ｖ１…第１切替弁（供給装置）
Ｖ２…第１切替弁（吐出装置）
Ｖ３…第１切替弁（供給装置）
【図１】
2017207217.tif 000003
【図２】
2017207217.tif 000004
【図３】
2017207217.tif 000005
【図４】
2017207217.tif 000006